(57)【要約】【課題】テレビカメラ装置のカメラ本体又はレンズ部に設けられた固定型の操作部からカメラマンの手が離れていても、その操作部の操作を容易に実行することができるテレビレンズ用操作装置を提供する。【解決手段】テレビレンズ用操作装置は、オートフォーカスＯＮ／ＯＦＦスイッチ１００を有し、このオートフォーカスＯＮ／ＯＦＦスイッチ１００は、ペデスタルドリー１６のハンドル３８を操作するカメラマンの右手ＲＨの人指し指ＩＦに装着可能な装着部１０２に取り付けられる。また、オートフォーカスＯＮ／ＯＦＦスイッチ１００は、装着部１０２がカメラマンの右手ＲＨに装着されると、右手ＲＨの親指Ｔで操作可能な位置に位置される。このテレビレンズ用操作装置によれば、固定型操作部のオートフォーカスＯＮ／ＯＦＦスイッチ７４からカメラマンの右手ＲＨが離れていても、オートフォーカスＯＮ／ＯＦＦスイッチ１００を操作することにより、オートフォーカスＯＮ／ＯＦＦ切替操作を容易に実行することができる。【選択図】      図５
2008131246.tif 000002
【特許請求の範囲】
【請求項１】
テレビカメラ装置に固定された第１の操作部を有するテレビレンズ用操作装置において、
前記テレビカメラ装置を操作するカメラマンの手に装着可能な装着部に取り付けられるとともに、装着部がカメラマンの手に装着されるとその手の親指で操作可能な位置に位置する第２の操作部を備えたことを特徴とするテレビレンズ用操作装置。
【請求項２】
前記装着部は手袋状に構成され、前記第２の操作部は、前記手袋状の装着部の人指し指部の親指部側側面に取り付けられていることを特徴とする請求項１に記載のテレビレンズ用操作装置。
【請求項３】
前記テレビカメラ装置はペデスタルドリーに搭載され、前記装着部は、前記ペデスタルドリーのハンドルを操作するカメラマンの手に装着されることを特徴とする請求項１又は２に記載のテレビレンズ用操作装置。
【請求項４】
前記第２の操作部の操作が前記第１の操作部の操作に優先されることを特徴とする請求項１〜３のうちいずれか一つに記載のテレビレンズ用操作装置。
【請求項５】
前記第２の操作部は、有線又は無線によってその操作信号を出力することを特徴とする請求項１〜４のうちいずれか一つに記載のテレビレンズ用操作装置。
【請求項６】
前記操作信号は、前記第１の操作部を介して前記テレビカメラ装置のレンズ部に出力されることを特徴とする請求項５に記載のテレビレンズ用操作装置。
【請求項７】
前記第２の操作部からの出力信号が無線信号であるとき、前記第１の操作部の受信部を介して前記テレビカメラ装置のレンズ部に出力されることを特徴とする請求項６に記載のテレビレンズ用操作装置。
【請求項８】
前記第１の操作部、及び前記第２の操作部は、オートフォーカスＯＮ／ＯＦＦスイッチ、防振ＯＮ／ＯＦＦスイッチ、リターンスイッチ、又は所定のボリュームであることを特徴とする請求項１〜７のうちいずれか一つに記載のテレビレンズ用操作装置。
【発明の詳細な説明】
【技術分野】
【０００１】
本発明はテレビレンズ用操作装置に係り、特にオートフォーカスＯＮ／ＯＦＦスイッチ等の操作部がテレビカメラ本体又はレンズ部に設けられたテレビレンズ用操作装置に関する。
【背景技術】
【０００２】
スタジオ内のテレビ撮影や野外のスポーツ中継等においては、特許文献１等に開示されたテレビカメラ装置が一般に使用される。
【０００３】
従来のテレビカメラ装置の一例を図１２に示す。このテレビカメラ装置１は、カメラ本体２とＥＦＰレンズと呼ばれるレンズ部３とから構成され、ペデスタルドリー４の雲台５に搭載されて使用される。カメラマンは、雲台５から延設されたパン棒６を左手で把持し、パン棒６を上下動させることによりテレビカメラ装置１をチルト操作することができ、パン棒６を左手で把持するとともにペデスタルドリー４のハンドル４Ａを右手で把持し旋回軸４Ｂを旋回させたり押したりすることによって、テレビカメラ装置１をパン操作したり移動させたりすることができる。
【０００４】
レンズ部３は、内部にフォーカスレンズ駆動用モータ、ズームレンズ駆動用モータが内蔵され、これらのモータを外部のコントローラから入力される制御信号に基づいて駆動制御するように構成されている。すなわち、パン棒６の先端にはズームデマンド７が取り付けられ、ズームデマンド７のサムリング７Ａをテレ方向又はワイド方向に操作することにより、その操作に対応した制御信号がズームレンズ駆動用モータに出力される。これにより、ズーミングがマニュアル操作で実行される。また、テレビカメラ本体２のカメラマンから見て右側面にはフォーカスコントローラ８が取り付けられ、フォーカスコントローラ８のフォーカスリング８Ａを回動操作することにより、その回動量に対応した制御信号がフォーカスレンズ駆動用モータに出力される。これにより、フォーカシングがマニュアル操作で実行される。
【０００５】
更に、フォーカスコントローラ８の本体８Ｂには、オートフォーカスＯＮ／ＯＦＦスイッチ８Ｃが設けられており、このオートフォーカスＯＮ／ＯＦＦスイッチ８Ｃを押し操作することにより、オートフォーカスのＯＮ／ＯＦＦが切り替えられる。
【特許文献１】特開平１１−２７１５９２号公報
【発明の開示】
【発明が解決しようとする課題】
【０００６】
ところで、図１２の如くテレビカメラ装置１を移動しながら撮影する場合には、オートフォーカスをＯＦＦからＯＮに切り替えて撮影するのが通常である。
【０００７】
しかしながら、この撮影時、カメラマンの右手はペデスタルドリー４のハンドルＡを把持しているため、右手でオートフォーカスＯＮ／ＯＦＦスイッチ８Ｃを操作することができないという欠点があった。よって、このような場合には、移動を停止してハンドル４Ａから右手を一旦離し、右手でスイッチ操作を行わなければならず、その時間的ロスにより撮影に支障をきたすという問題があった。
【０００８】
本発明はこのような事情に鑑みてなされたもので、カメラ本体又はレンズ部に設けられた固定型の操作部からカメラマンの手が離れていても、その操作部の操作を実行することができるテレビレンズ用操作装置を提供することを目的とする。
【課題を解決するための手段】
【０００９】
請求項１に記載の発明は、前記目的を達成するために、テレビカメラ装置に固定された第１の操作部を有するテレビレンズ用操作装置において、前記テレビカメラ装置を操作するカメラマンの手に装着可能な装着部に取り付けられるとともに、装着部がカメラマンの手に装着されるとその手の親指で操作可能な位置に位置する第２の操作部を備えたことを特徴としている。
【００１０】
請求項１に記載の発明によれば、固定型の第１の操作部の他に第２の操作部を備え、この第２の操作部は、カメラマンの手に装着される装着部に取り付けられ、装着部がカメラマンの手に装着されると、その手の親指で操作される。よって、本発明によれば、第１の操作部からカメラマンの手が離れていても、その操作部の操作を容易に実行することができる。第１の操作部の固定位置は、テレビカメラ装置であればどの位置でもよく、例えば、カメラ本体、レンズ装置、パン棒、ペデスタルドリー、三脚、雲台であってもよい。
【００１１】
請求項２に記載の発明は、請求項１において、前記装着部は手袋状に構成され、前記第２の操作部は、前記手袋状の装着部の人指し指部の親指部側側面に取り付けられていることを特徴とする。
【００１２】
請求項２に記載の発明によれば、装着部を手袋状に構成することにより、装着部がカメラマンの手に容易に装着され、また、手袋状の装着部の人指し指部の親指部側側面に第２の操作部が取り付けられているので、その手の親指で第２の操作部を容易に操作することができる。親指で操作可能な位置であれば、手袋状の装着部の人指し指部、親指部以外の指部に第２の操作部を設けてもよい。
【００１３】
請求項３に記載の発明は、請求項１又は２において、前記テレビカメラ装置はペデスタルドリーに搭載され、前記装着部は、前記ペデスタルドリーのハンドルを操作するカメラマンの手に装着されることを特徴とする。
【００１４】
請求項３に記載の発明によれば、ペデスタルドリーのハンドルを操作するカメラマンの手に装着部が装着されるので、テレビカメラ装置の移動時、パン操作時においても、ハンドルをその手で把持した状態で第２の操作部を容易に操作することができる。
【００１５】
請求項４に記載の発明は、請求項１〜３において、前記第２の操作部の操作が前記第１の操作部の操作に優先されることを特徴とする。
【００１６】
請求項４に記載の発明によれば、第２の操作部の操作が第１の操作部の操作に優先されているため、例えば、オートフォーカスＯＮ／ＯＦＦスイッチが第１の操作部側でＯＦＦ状態であっても、第２の操作部でＯＮに切り替えることができ、オートフォーカスが有効となる。なお、フォーカスをマニュアル操作に切り替える場合には、第２の操作部を操作してＯＮからＯＦＦに切り替え、この後、フォーカスリングをマニュアル操作すればよい。
【００１７】
請求項５に記載の発明は、請求項１〜４において、前記第２の操作部は、有線又は無線によってその操作信号を出力することを特徴とする。
【００１８】
請求項５に記載の発明によれば、第２の操作部からの操作信号を有線により出力する場合には、第２の操作部からテレビカメラ本体、又はレンズ部に向けて配線したケーブルがカメラマンのその手に絡まないように、ケーブルをリストバンド等の保持具を用いてその手の腕に沿って配線することが好ましい。また、無線により出力する場合には、ケーブルが不要になるので、ケーブルの絡み等の不具合は発生しない。無線方式としては、小型アンテナや電波発信基板等の電波発信機を用いた方式、赤外線による方式が好ましい。
【００１９】
請求項６に記載の発明は、請求項５において、前記操作信号は、前記第１の操作部を介して前記テレビカメラ装置のレンズ部に出力されることを特徴とする。
【００２０】
請求項６に記載の発明によれば、第２の操作部からの操作信号を、第１の操作部を介してレンズ部に出力する。第２の操作部からの操作信号を、別途設けた専用の信号線を介してレンズ部に出力するように構成すると、専用の信号線を配設するためにテレビカメラ本体、又はレンズ部を改造する必要があるが、第１の操作部からレンズ部に出力することにより、既存の信号線を利用できるので、改造が不要になりコストの面で好ましい。
【００２１】
請求項７に記載の発明は、請求項６において、前記第２の操作部からの出力信号が無線信号であるとき、前記第１の操作部の受信部を介して前記テレビカメラ装置のレンズ部に出力されることを特徴とする。
【００２２】
請求項７に記載の発明によれば、第２の操作部からの無線信号を、第１の操作部の受信部を介してレンズ部に出力する。受信部はカメラ本体、レンズ部、又は第１の操作部のいずれかに取り付ければよい。
【００２３】
請求項８に記載の発明は、請求項１〜７において、前記第１の操作部、及び前記第２の操作部は、オートフォーカスＯＮ／ＯＦＦスイッチ、防振ＯＮ／ＯＦＦスイッチ、リターンスイッチ、又は所定のボリュームであることを特徴とする。
【００２４】
請求項８に記載の発明によれば、第１の操作部、第２の操作部としては、オートフォーカスＯＮ／ＯＦＦスイッチ、防振ＯＮ／ＯＦＦスイッチ又はリターンスイッチが好ましく、ズームスピードを調整するズームスピード調整用ツマミであっても好ましい。また、これらのスイッチ、ツマミを組み合わせた多機能型の操作部であっても好ましい。防振ＯＮ／ＯＦＦスイッチとは、レンズ部に内蔵された手振れ補正用のレンズを、手振れを打ち消す方向に移動させるためのＯＮ／ＯＦＦ切替スイッチであり、リターンスイッチとは、そのテレビカメラ本体のビューファインダに表示されている画像を、現在放映されている画像、又は他のテレビカメラ装置によって撮影されている画像に切り替えるためのスイッチである。
【発明の効果】
【００２５】
本発明に係るテレビレンズ用操作装置によれば、カメラマンの手に装着されて、カメラマンの手の親指で操作される第２の操作部を備えたので、テレビカメラ本体又はレンズ部に設けられた固定型の第１の操作部からカメラマンの手が離れていても、その操作部の操作を容易に実行することができる。
【発明を実施するための最良の形態】
【００２６】
以下添付図面に従って、本発明に係るテレビレンズ用操作装置の好ましい実施の形態について詳説する。
【００２７】
図１は、実施の形態に係るテレビレンズ用操作装置が適用されたテレビカメラ装置１０を背面側から見た斜視図である。同図に示すテレビカメラ装置１０は、上部にビューファインダ１１が搭載されたカメラ本体１２と箱型のＥＦＰレンズ（レンズ部）１４とから構成され、このテレビカメラ装置１０は、ペデスタルドリー１６の上部に設置された雲台１８に、パン方向及びチルト方向に移動自在に支持される。
【００２８】
雲台１８には、図２に示すカメラマンが左手で操作する１本のパン棒２０が後方に向けて延設されている。パン棒２０の先端部には、図１の如くＥＦＰレンズ１４にケーブル２２を介して接続されたズームデマンド２４が取り付けられる。また、フォーカスデマンド２６は、図２に示すようにカメラ本体１２のカメラマンから見て右側部に取り付けられている。
【００２９】
図１のズームデマンド２４には、基準位置から両方向に回動可能なサムリング２８が設けられている。サムリング２８がカメラマンによって回動操作されると、その基準位置からの操作量、すなわち回動方向及び回動量に応じたズーム指令信号がズームデマンド２４からＥＦＰレンズ１４に与えられ、ＥＦＰレンズ１４に内蔵されたズームレンズがワイド側又はテレ側に移動される。これにより、ズーミングがマニュアル操作により実行される。
【００３０】
一方、図２のフォーカスデマンド２６の本体３０には、カメラマンの右手で操作されるフォーカスリング３２が回動自在に設けられている。フォーカスリング３２がカメラマンの右手により回動操作されると、その操作量、すなわち回動方向及び回動量に応じたフォーカス指令信号がフォーカスデマンド２６からＥＦＰレンズ１４に与えられ、ＥＦＰレンズ１４に内蔵されたフォーカスレンズが至近側又は無限遠側に移動される。これにより、フォーカシングがマニュアル操作により実行される。
【００３１】
ペデスタルドリー１６は下部に走行部３４を備え、この走行部３４に円筒型の旋回部３６が立設されている。旋回部３６には、ハンドル３８を有するロッド４０が不図示の昇降／回動機構により昇降／回動自在に設けられ、このロッド４０の上部に雲台１８が固定されている。したがって、カメラマンが左手でパン棒２０を把持するとともに、右手でハンドル３８を把持して昇降／回動操作することにより、ロッド４０が旋回部３６に対して昇降／回動するので、テレビカメラ１０を所望の被写体に向けることができる。また、カメラマンが右手でハンドル３８を把持して押すことにより、ペデスタルドリー１６が走行するので、テレビカメラ１０を所望の位置に移動させることができる。
【００３２】
図３は、ＥＦＰレンズ１４の全体構成を示したブロック図である。
【００３３】
ＥＦＰレンズ１４の撮影光学系には、フォーカスレンズ４２、ズームレンズ４４、アイリス４６、ワブリングレンズ４８等が配置され、撮影光学系に入射した被写体光は、カメラ本体１２の撮像素子面に結像される。
【００３４】
レンズ４２、４４、４８及びアイリス４６は、それぞれ対応するフォーカス用モータ５０、ズーム用モータ５２、ワブリング用モータ５４、アイリス用モータ５６によって駆動され、各モータ５０、５２、５４、５６は、それぞれＥＦＰレンズ１４に内蔵されたＣＰＵ５８からＤ／Ａ変換器６０を介して与えられる駆動信号に従ってそれぞれフォーカス用アンプ６２、ズーム用アンプ６４、ワブリング用アンプ６６、アイリス用アンプ６８によって駆動される。
【００３５】
一方、フォーカスデマンド２６とＣＰＵ５８とは、シリアルコミュニケーションインターフェース（ＳＣＩ）７０、７２を介して通信により各種信号のやり取りが可能であり、例えば、フォーカスデマンド２６からＣＰＵ５８には、フォーカスリング３２の回動操作に基づくフォーカス指令信号、及び本体３０に固定されたオートフォーカスＯＮ／ＯＦＦスイッチ（第１の操作部）７４等のスイッチ情報が与えられる。
【００３６】
フォーカスリング３２の回動は、インクリメンタル型ロータリーエンコーダにより一定回転量ごとのパルス信号として検出され、そのパルス信号が、適宜リセットされるカウンタによりカウントされ、カウンタによりカウントされた値が、カウンタのリセット時におけるフォーカスレンズ４２の設定位置から、目標位置として指令するフォーカスレンズの設定位置までの移動量を示している。
【００３７】
ＣＰＵ５８は、フォーカスリング３２を回動操作するマニュアルフォーカス（ＭＦ）調整が有効となっている状態では、フォーカスデマンド２６から与えられるフォーカス指令信号に基づいてマニュアルフォーカスの処理を実行する。すなわち、フォーカスデマンド２６から与えられるフォーカス指令信号と、フォーカス用ポテンショメータ７６からＡ／Ｄ変換器７８を介して与えられるフォーカスレンズ４２の現在位置を示す位置信号とに基づいて、フォーカス用モータ５０を駆動する駆動信号をＤ／Ａ変換器６０を介してフォーカス用アンプ６２に与え、フォーカスレンズ４２をフォーカス指令信号によって指令された目標位置に移動させる。
【００３８】
また、ズームデマンド２４からＣＰＵ５８には、サムリング２８の回動量に応じたズームレンズ４４の移動速度（目標速度）を指令するズーム指令信号がＡ／Ｄ変換器７８を介して与えられる。ズームデマンド２４についてもフォーカスデマンド２６と同様に通信によりＣＰＵ５８と各種信号のやり取りを行えるようにしてもよい。
【００３９】
ＣＰＵ５８は、ズームデマンド２４から与えられたズーム指令信号と、ズーム用ポテンショメータ８０からＡ／Ｄ変換器７８を介して与えられるズームレンズ４４の現在位置を示す位置信号とに基づいて、ズーム用モータ５２を駆動する駆動信号をＤ／Ａ変換器６０を介してズーム用アンプ６４に与え、ズームレンズ４４をズーム指令信号によって指令された目標速度で移動させる。
【００４０】
また、アイリス４６については、カメラ本体１２からアイリス４６の設定位置（絞り値）を指令するアイリス指令信号がＣＰＵ５８に与えられ、ＣＰＵ５８は、アイリス４６の設定位置としてアイリス用モータ５６の回転位置をアイリス用ポテンショメータ８２により検出しながら、その指令信号により指令された絞り値となるようにアイリス用モータ５６を駆動する駆動信号をアイリス用アンプ６８に出力する。
【００４１】
ワブリングレンズ４８については、外部からの指令信号に基づいて駆動信号が出力されるのではなく、後述のオートフォーカス時のワブリングのための駆動信号がＣＰＵ５８からワブリング用アンブ６６に出力される。また、ワブリング用モータ５４はパルスモータであり、ワブリングレンズ４８の位置をフィードバックするためのポテンショメータは設置されていない。
【００４２】
一方、ＣＰＵ５８は、マニュアルフォーカス処理の他に、オートフォーカスＯＮ／ＯＦＦスイッチ７４のＯＮ操作により、被写体の情報に基づいてフォーカスレンズ４２を合焦位置に自動で移動させるオートフォーカスの処理も実行する。
【００４３】
また、映像表示用の映像信号（輝度信号）をカメラ本体１２から取得し、その映像信号に基づいて合焦の程度を評価する焦点評価値を検出する焦点評価値検出回路８４が、ＥＦＰレンズ１４に内蔵されている。なお、カメラ本体１２から取得される映像信号は、撮影光学系により結像された被写体像をカメラ本体１２の撮像素子により撮像して得られた例えばＮＴＳＣ方式の映像信号である。また、焦点評価値は、画像のコントラストの高低（鮮鋭度）を示す値であり、その検出方法はコントラスト方式のオートフォーカスにおいて従来から周知のものである。
【００４４】
焦点評価値検出回路８４によれば、カメラ本体１２から取得された映像信号は、まず、ハイパスフィルタ（ＨＰＦ）８６によって高周波成分のみが抽出されてＡ／Ｄ変換器８８によりデジタル信号に変換される。そして、デジタル信号に変換された高周波成分のうち、撮影範囲内に設定された所定のフォーカスエリア内のみの信号がゲート回路９０により抽出され、ゲート回路９０により抽出された高周波成分の信号が１フィールドごとに加算回路９２により積算される。加算回路９２の積算によって得られた信号は、フォーカスエリア内の被写体に対する合焦の程度（コントラストの高低）を示す焦点評価値としてＣＰＵ５２に読み取られる。
【００４５】
オートフォーカスの処理を実行する場合には、前記焦点評価値に基づいてフォーカス用モータ５０を駆動するための駆動信号がＣＰＵ５８によって生成され、マニュアルフォーカスの場合と同様にその駆動信号がフォーカス用アンプ６２に出力されてフォーカスレンズ４２が合焦位置に移動する。具体的には、ＣＰＵ５８は、ワブリング用モータ５４を駆動するための駆動信号をＤ／Ａ変換器６０を介してワブリング用アンプ６６に適宜出力し、ワブリングレンズ４８を光軸方向に前後動（ワブリング）させながら、加算回路９２から焦点評価値を１フィールドごとに取得する。これによって、撮影光学系の焦点位置が前後動し、フォーカスレンズ４２を現在の設定位置から前後動させた場合に等しい焦点評価値が検出される。
【００４６】
ＣＰＵ５８は、そのワブリングの間に取得した焦点評価値に基づいて、フォーカスレンズ４２の現在位置において焦点評価値が極大か否かを判断する。焦点評価値が極大であれば合焦が得られており、フォーカスレンズ４２をその合焦位置で停止させる。一方、焦点評価値が極大でない場合には、ワブリングの間に取得した焦点評価値の大小関係から合焦位置が現在位置よりも無限方向にあるか至近方向にあるか、すなわち、焦点評価値が増加する方向を判断する。そして、フォーカス用アンプ６２に駆動信号を出力して、その判断した方向にフォーカスレンズ４２を移動させる。このようにワブリングレンズ４８のワブリングとフォーカスレンズ４２の移動を繰り返すことによってフォーカスレンズ４２が合焦位置に自動的に設定される。
【００４７】
ところで、実施の形態のテレビレンズ用操作装置は、図４に示すようにオートフォーカスＯＮ／ＯＦＦスイッチ（第２の操作部）１００を有し、このオートフォーカスＯＮ／ＯＦＦスイッチ１００は、ペデスタルドリー１６のハンドル３８を操作するカメラマンの右手ＲＨ（Right-Hand）の人指し指ＩＦ（Index Finger）に装着可能な装着部１０２に取り付けられる。また、オートフォーカスＯＮ／ＯＦＦスイッチ１００は、装着部１０２がカメラマンの人指し指ＩＦに装着されると、図５の如く右手ＲＨの親指Ｔ（Thumb）で操作可能な位置に位置される。
【００４８】
オートフォーカスＯＮ／ＯＦＦスイッチ１００には、図６に示すように所定の長さのケーブル１０４を介してコネクタ１０６が接続される。このコネクタ１０６は、図１に示すフォーカスデマンド２６の本体３０に設けられたコネクタ１０８に接続され、オートフォーカスＯＮ／ＯＦＦスイッチ１００からのＯＮ／ＯＦＦ切替信号がフォーカスデマンド２６を介して図３のＣＰＵ５８に出力される。また、ＣＰＵ５８は、フォーカスデマンド２６側のオートフォーカスＯＮ／ＯＦＦスイッチ７４の操作に対し、オートフォーカスＯＮ／ＯＦＦスイッチ１００の操作を優先してフォーカス用モータ５０を駆動制御する。
【００４９】
また、ケーブル１０４は図７に示すように、リストバンド１１０、アームバンド１１２等の保持具を用いてカメラマンの右腕に沿って配設され、フォーカスデマンド２６側に向けて配線したケーブル１０４がカメラマンの右腕に絡まないようにしている。
【００５０】
一方、装着部１０２は図８の如く、ゴム又は布製の帯状のバンド１１４と、このバンド１１４の両端に取り付けられ、バンド１１４の両端を連結してバンド１１４をリング状にするための着脱テープ（商品名：マジッグテープ）１１６、１１６とから構成される。したがって、図８の状態からバンド１１４を人指し指ＩＦ（図４参照）に巻き付け、着脱テープ１１６、１１６同士を連結することにより、装着部１０２を人指し指ＩＦに容易に装着することができる。また、装着部１０２を人指し指ＩＦから取り外す場合には、バンド１１４の端部に一体形成された舌状部１１４Ａを左手でつまみ、着脱テープ１１６、１１６の連結を引き剥がすことにより、容易に取り外すことができる。
【００５１】
装着部１０２の形態は、図８の形態に限定されるものではない。例えば、図９（Ａ）に示すように、ゴム又は布製のバンド１１８の両端部をゴム片１２０にて連結することにより装着部１０２をリング状に構成し、この装着部１０２を人指し指ＩＦに装着する場合には、図９（Ｂ）の如くゴム片１２０を伸ばし、これによって広がるバンド１１８の開口部１１９に人指し指ＩＦを差し込むことにより、装着部１０２を人指し指ＩＦに容易に装着することができる。
【００５２】
また、図１０に示すように、装着部１０２を手袋状に構成することにより、装着部１０２をカメラマンの右手ＲＨにしっかりと装着することができ、また、手袋状の装着部１０２の人指し指部１０３の親指部側側面１０３ＡにオートフォーカスＯＮ／ＯＦＦスイッチ１００を取り付けることにより、右手ＲＨの親指ＴでオートフォーカスＯＮ／ＯＦＦスイッチ１００を容易に操作することができる。なお、親指Ｔで操作可能な位置であれば、手袋状の装着部１０２の人指し指部、親指部以外の指部にオートフォーカスＯＮ／ＯＦＦスイッチ１００を設けてもよい。
【００５３】
次に、前記の如く構成されたテレビレンズ用操作装置の作用、効果について説明する。
【００５４】
このテレビカメラ装置は、第１の操作部であるオートフォーカスＯＮ／ＯＦＦスイッチ７４の他に、第２の操作部であるオートフォーカスＯＮ／ＯＦＦスイッチ１００を備えている。そして、このオートフォーカスＯＮ／ＯＦＦスイッチ１００は、カメラマンの右手ＲＨに装着される装着部１０２に取り付けられ、装着部１０２がカメラマンの右手ＲＨに装着されると、右手ＲＨの親指Ｔで操作される。
【００５５】
これにより、実施の形態のテレビレンズ用操作装置によれば、オートフォーカスＯＮ／ＯＦＦスイッチ７４からカメラマンの右手ＲＨが離れていても、オートフォーカスＯＮ／ＯＦＦスイッチ１００を容易に操作可能なので、オートフォーカスＯＮ／ＯＦＦ切替操作を容易に実行することができる。したがって、右手ＲＨでハンドル３８を把持したペデスタルドリー１６の移動中やパン操作中において、オートフォーカスＯＮ／ＯＦＦ切替操作を、ハンドル３８から右手ＲＨを離すことなく容易に実行できる。
【００５６】
また、実施の形態のテレビレンズ用操作装置は、オートフォーカスＯＮ／ＯＦＦスイッチ１００の操作がオートフォーカスＯＮ／ＯＦＦスイッチ７４の操作に優先されているため、例えば、オートフォーカスＯＮ／ＯＦＦスイッチ７４がＯＦＦ状態であっても、オートフォーカスＯＮ／ＯＦＦスイッチ１００でＯＮに切り替えることができ、オートフォーカスが有効となる。なお、フォーカスをマニュアル操作に切り替える場合には、オートフォーカスＯＮ／ＯＦＦスイッチ１００を操作してＯＮからＯＦＦに切り替え、この後、フォーカスリング３２をマニュアル操作すればよい。
【００５７】
次に、オートフォーカスＯＮ／ＯＦＦスイッチ１００からの操作信号がフォーカスデマンド２６を介してＣＰＵ５８に出力されている利点について説明する。
【００５８】
オートフォーカスＯＮ／ＯＦＦスイッチ１００からの操作信号を、別途設けた専用の信号線を介してＣＰＵ５８に出力するように構成すると、専用の信号線を配線、接続するためにカメラ本体１２、ＥＦＰレンズ１４を改造する必要があるが、フォーカスデマンド２６を介してオートフォーカスＯＮ／ＯＦＦスイッチ１００からＣＰＵ５８に出力することにより、既存の信号線を利用できるので、改造が不要になり既存のレンズに使用することができる。また、コスト面でも有利となる。
【００５９】
また、本実施の形態では、ケーブル１０４による有線方式によって操作信号を出力するようにしたが、無線方式によって操作信号を出力してもよい。この場合、ケーブル１０４が不要になるので、ケーブル１０４の絡み等の不具合は発生しない。無線方式としては、図１１に示すように、小型アンテナや電波発信基板等の電波発信機１２２をオートフォーカスＯＮ／ＯＦＦスイッチ１００に信号線１２４を介して直結した方式、又は赤外線による方式が好ましい。また、電波発信機１２２からの操作信号は、受信部１２６によって受信され、この操作信号は、受信部１２６に連結されたコネクタ１０６を図１のコネクタ１０８に接続することによりＣＰＵ５８に出力される。なお、受信部１２６は、カメラ本体１２、ＥＦＰレンズ１４、又はオートフォーカスＯＮ／ＯＦＦスイッチ７４のうちいずれかに着脱自在に取り付ければよい。
【００６０】
また、オートフォーカスＯＮ／ＯＦＦスイッチ７４のほか、フォーカスデマンド２６の本体３０にエクステンダ切替スイッチ（撮影倍率を１倍、２倍に切り替えるスイッチ）が設けられたものでは、時間的ロスによりエクステンダレンズの切り替え（撮影倍率の切り替え）が遅れるため、瞬時に所望の画像を得ることができないという問題があり、また、フォーカスデマンド２６の本体３０に防振ＯＮ／ＯＦＦスイッチ、リターンスイッチが設けられたものも同様に、時間的ロスにより撮影に影響を与える。
【００６１】
よって、操作スイッチとしてはオートフォーカスＯＮ／ＯＦＦスイッチ７４に限定されるものではなく、エクステンダ切替スイッチ、防振ＯＮ／ＯＦＦスイッチ、リターンスイッチでもよい。また、ズームスピードを調整するズームスピード調整用ツマミ（ボリューム）も例示できる。更に、実施の形態では、テレビレンズの操作装置としてフォーカスデマンド２６を例示したが、上記のようなスイッチが配置されたものであれば、ズームデマンド２４でも適用できる。
【００６２】
更に、実施の形態では、第１の操作部であるオートフォーカスＯＮ／ＯＦＦスイッチ７４がテレビカメラ本体１２に設けられたものを例示したが、第１の操作部がレンズ部に設けられているものでも本発明を適用できる。
【００６３】
また、第１の操作部の固定位置は、テレビカメラ装置であればどの位置でもよく、例えば、カメラ本体、レンズ装置、パン棒、ペデスタルドリー、三脚、雲台であってもよい。
【図面の簡単な説明】
【００６４】
【図１】実施の形態のテレビレンズ用操作装置が適用されたテレビカメラ装置の斜視図
【図２】図１に示したテレビカメラ装置の操作形態を示す鳥瞰図
【図３】図１に示したテレビカメラ装置のＥＦＰレンズの構成を示したブロック図
【図４】カメラマンの右手に装着されたオートフォーカスＯＮ／ＯＦＦスイッチの外観図
【図５】図４に示したオートフォーカスＯＮ／ＯＦＦスイッチが操作される状態を示した説明図
【図６】有線方式によるオートフォーカスＯＮ／ＯＦＦスイッチの構成図
【図７】カメラマンの右腕に沿ってケーブルが配線される状態を示した説明図
【図８】オートフォーカスＯＮ／ＯＦＦスイッチの装着部の構成を示した斜視図
【図９】オートフォーカスＯＮ／ＯＦＦスイッチの装着部の他の構成を示した斜視図
【図１０】オートフォーカスＯＮ／ＯＦＦスイッチの手袋状装着部の構成を示した斜視図
【図１１】無線方式によるオートフォーカスＯＮ／ＯＦＦスイッチの構成図
【図１２】従来のテレビカメラ装置の斜視図
【符号の説明】
【００６５】
１０…テレビカメラ装置、１２…カメラ本体、１４…ＥＦＰレンズ、１６…ペデスタルドリー、１８…雲台、２０…パン棒、２４…ズームデマンド、２６…フォーカスデマンド、３２…フォーカスリング、３８…ハンドル、４２…フォーカスレンズ、４４…ズームレンズ、５８…ＣＰＵ、７４…オートフォーカスＯＮ／ＯＦＦスイッチ（第１の操作部）、１００…オートフォーカスＯＮ／ＯＦＦスイッチ（第２の操作部）、１０２…装着部、１０４…ケーブル、１０６…コネクタ、１０８…コネクタ、１１０…リストバンド、１１２…アームバンド、１１４…バンド、１１６…着脱テープ、１１８…バンド、１２０…ゴム片、１２２…電波発信機、１２６…受信部
【図１】
2008131246.tif 000003
【図２】
2008131246.tif 000004
【図３】
2008131246.tif 000005
【図４】
2008131246.tif 000006
【図５】
2008131246.tif 000007
【図６】
2008131246.tif 000008
【図７】
2008131246.tif 000009
【図８】
2008131246.tif 000010
【図９】
2008131246.tif 000011
【図１０】
2008131246.tif 000012
【図１１】
2008131246.tif 000013
【図１２】
2008131246.tif 000014